(57)【要約】【課題】「４：３」「１６：９」等の異なるアスペクト比の画像を同じサムネイル表示画面に、それぞれのアスペクト比のままで表示させると、サムネイル表示画面上で、サムネイル画が縦横整列しない状態となる。また、サムネイル画を加工して一つのアスペクト比に統一する方法では、「１６：９」のアスペクト画像のサムネイル画をさらに縮小し小さなサムネイル画になったり、縦長表示にする事により通常の画像とは違った見え方をしたりする。いずれも見づらい。【解決手段】サムネイル表示画面に表示するアスペクト比を選択した場合、記録媒体に記録してある画像の内、選択されたアスペクト比に合致するサムネイル画を読み出し、アスペクト比毎に決められた決められた数のサムネイル画を配列したサムネイル表示画面を表示する。【選択図】  図４
2007292971.tif 000002
【特許請求の範囲】
【請求項１】
複数の画像を一覧表示する表示部と、
アスペクト比が異なる複数の画像を読み出す読出部と、
第１のアスペクト比の複数の画像の一覧表示の指示を受けると、当該第１のアスペクト比の画像を、当該第１のアスペクト比に対応して設定された数、前記読出部で読み出して前記表示部に一覧表示させる制御部とを含む画像取扱装置。
【請求項２】
請求項１の画像取扱装置であって、
前記制御部は、前記第１のアスペクト比とは異なる第２のアスペクト比の複数の画像の一覧表示の指示を受けると、当該第２のアスペクト比の画像を、当該第２のアスペクト比に対応して設定された数、前記読出部で読み出して前記表示部に一覧表示させる。
【請求項３】
請求項１の画像取扱装置であって、
前記制御部は、異なるアスペクト比の画像を一覧表示するモードと、前記第１のアスペクト比の画像を一覧表示するモードとを切り替える。
【発明の詳細な説明】
【技術分野】
【０００１】
技術分野は、半導体メモリや光学式ドライブ、ハードディスクなどのランダムアクセスが可能な記録媒体などに記録された画像を扱う画像取扱装置に関し、記録されている画像の縮小画像であるサムネイル画を複数表示する技術に関する。
【背景技術】
【０００２】
サムネイル画を表示する技術、特にアスペクト比を考慮した従来技術として、例えば特許文献１がある。特許文献１には、「アスペクト比が４：３と１６：９の画像出力装置の違いを識別し、複数の静止画像を同時にアスペクト比１６：９の表示画面に出力する際、アスペクト比を変化させ、同時に表示可能な静止画像数を増加させる再構成を行なう」という、技術が記載されている。
【０００３】
また、特許文献２には、「モニタ装置が、４：３の標準的なアスペクト比を有するものであるのか、あるいは、１６：９のワイドなアスペクト比を有するものであるかを予め設定させる。４：３のアスペクト比を有する場合、電子番組ガイドとして、各放送チャンネルの代表画面を縮小した縮小画面を５個配列して表示させる。１６：９のアスペクト比を有する場合においては、縮小画面を６個配列表示させる。」という、技術が開示されている。
【０００４】
また、特許文献３には、「複数枚の画像が蓄積されたデータベースから所望の画像を検索するにおいて、検索のための検索元画像を提示するためのユーザ描画領域を含むＧＵＩが表示される。このＧＵＩにおけるユーザ描画領域の縦横比は、データベースに蓄積された画像の縦横比に基づいて決定される（Ｓ４１）。そして、このユーザ描画領域に提示された画像を検索元画像として、データベースに記憶された画像の類似検索を行う（Ｓ４２〜Ｓ４４）。そして、得られた検索の結果を一覧表示する（Ｓ４５）。」という、技術が開示されている。
【０００５】
【特許文献１】特開２０００−２２７７８５号公報
【特許文献２】特開平９−３７１６７号公報
【特許文献３】特開２００２−０９９５７０号公報
【発明の開示】
【発明が解決しようとする課題】
【０００６】
近年、半導体メモリや光学式ドライブ、ハードディスクなどのランダムアクセスが可能な記録媒体を有する記録再生装置においては、記録する画像のアスペクト比「４：３」及び「１６：９」のように複数のアスペクト比の画像を記録媒体に記録することが行われるようになってきた。また、記録した画像の検索性をよくするために、記録画像の代表画の縮小画像であるサムネイル画を一覧表示する機能が搭載されている。このため、複数種類のアスペクト比の記録画像のサムネイル画を一覧表示する場合の見易さ、視認性及び検索性が重要である。
【０００７】
しかしながら、上記特許文献１及び２に記載の従来技術では、画像出力装置表示装置のアスペクト比を考慮しているものの、「４：３」や「１６：９」等の複数のアスペクト比で記録された画像をサムネイル表示する場合について考慮されていない。
【０００８】
そのため、「４：３」と「１６：９」の異なるアスペクト比のサムネイル画を同じサムネイル一覧表示画面に、それぞれのアスペクト比のままで表示させることになり、サムネイル表示画面上で、サムネイル画が縦横整列しない状態となり、見づらい表示画面となるという問題がある。
【０００９】
また、どちらかのアスペクト比に統一する方法もある。「１６：９」のサムネイル画を更に縮小しての上下に黒帯をつけたり、横を縮小して縦長画像にして「４：３」のアスペクト比に加工し、全てを「４：３」のアスペクト比にして表示する方法や、「４：３」の画像の左右に黒帯をつけて「１６：９」のアスペクト比に加工して、全てを「１６：９」のアスペクト比にして表示する方法をとることも可能である。しかしながら、このような「４：３」のアスペクト比に統一する方法では、アスペクト比「１６：９」の画像のサムネイル画をさらに縮小するためさらに小さなサムネイル画になったり、縦長表示にする事により横方向が縮まり通常の画像とは違った見え方をしたり、「１６：９」のアスペクト比に統一する方法では、「４：３」の左右に不要な黒帯をつけて表示エリアが狭まり視認性が劣化するという問題がある。
【００１０】
また、たくさんの記録画像より希望の画像を見つけるためには、一画面に表示するサムネイル画の数が多い方が検索性はよくなる。しかしながら、上記特許文献３に記載の従来技術では、縦長画像・横長画像のそれぞれの一覧表示画面において、一覧に表示するサムネイル画の数をアスペクト比に応じて変化させることには配慮されていない。すなわち、アスペクト比「４：３」の場合にはアスペクト比「１６：９」時よりも多くのサムネイル画を表示できるにもかかわらず同じ数としてしまうため、アスペクト比「４：３」の画像の検索性がよくないという問題がある。
【課題を解決するための手段】
【００１１】
そこで、例えば、アスペクト比毎のサムネイル表示画面それぞれで表示させるサムネイル画の数を変更する技術を提供する。
【発明の効果】
【００１２】
上記手段によれば、サムネイル表示画面におけるユーザの視認性や検索性を改善することが可能となる。
【００１３】
上記以外の、課題、手段、効果は後述する実施形態の欄によって明らかにされる。
【発明を実施するための最良の形態】
【００１４】
以下、本発明に好適な実施例を説明する。ただし、本発明は本実施例に限定されるものではない。
【００１５】
図１は、ビデオカメラ等の映像記録再生表示装置の構成例を示すブロック図である。図１において、１０１は映像のデータを記録するハードディスクドライブや光ディスクドライブ等の記録媒体、１０２は映像信号を記録再生するための映像処理回路（画像を読み出す読出部、画像を記録する記録部、画像を再生する再生部ともいう）、１０３は映像処理時に一時的に映像データ等を保存するための映像処理用メモリ、１０４は記録再生映像やサムネイル画一覧表示画面を表示する映像表示部、１０５はカメラの映像を入力するカメラ撮像処理部、１０６は本映像記録再生表示装置の記録再生停止等の操作をしたり、記録映像アスペクト比設定等を設定するための操作キー入力部、１０７は本映像記録再生表示装置を制御するマイコン、１０８は設定値等を保存するためのマイコン処理用メモリ（記憶部ともいう）、１０９はサムネイル表示画面を生成するサムネイル表示画面生成回路である。なお、サムネイル表示画面生成回路１０９の一部の機能と映像表示部１０４の一部の機能とを総称して表示部ともいう。また、サムネイル表示画面生成回路１０９と、マイコン１０７の一部の機能とを総称して制御部ともいう。
【００１６】
まず、記録時の動作について説明する。記録前に操作キー入力部１０６により設定された記録映像アスペクト比の設定が「１６：９」か「４：３」かを、マイコン１０７はマイコン処理用メモリ１０８に保存された設定値を読み出し、読み出した記録アスペクト比情報をカメラ撮像処理部１０５に出力する。カメラ撮像処理部では、入力された記録アスペクト比情報に従い撮像処理を行い、映像信号を映像処理回路１０２に出力する。操作キー入力部１０６より「記録」の操作キーが入力された事をマイコン１０７が検出すると、マイコン１０７は映像処理回路１０２に記録処理の開始命令を出力すると共に、記録映像アスペクト比情報を映像処理回路１０２に出力する。映像処理回路１０２では、映像処理用メモリ１０３を用いて入力された映像信号を、記録映像アスペクト比情報に基づいた処理を行い、記録媒体１０１に対応した記録フォーマットの記録データに変換するとともに代表画の縮小画像であるサムネイル画を生成し、記録媒体１０１に記録データ及びサムネイル画や日付等の管理情報を記録信号として記録する。尚、このとき記録信号には、記録アスペクト比情報も重畳される。
【００１７】
次に、再生時の処理について説明する。操作キー入力部１０６より「再生」の操作キーが入力された事をマイコン１０７が検出すると、マイコン１０７は映像処理回路１０２に再生開始の命令を出力する。映像処理回路１０２は、記録媒体１０１に記録された信号を再生し、映像処理用メモリ１０３を用いて再生信号から映像アスペクト比情報を取り出し、映像信号に変換し、サムネイル表示画面生成回路１０９を経由して映像表示部１０４に出力し、再生画像を表示する。
【００１８】
また、再生操作の一種として、記録媒体１０１に記録された画像のサムネイル画の一覧を表示するサムネイル表示がある。このサムネイル表示の表示動作についてさらに説明する。サムネイル画とは記録された画像を縮小した画像を意味する。縮小とは画像の縦横の表示サイズが小さいこと又は圧縮度や解像度を小さくしたことにより画像データの容量が小さいことのどちらであってもよく、本実施例では両方が小さいものとする。記録画像が動画の時には、記録開始時の画像が選ばれる。尚、ここで使用者が任意の画像を選択するようにしても構わない。操作キー入力部１０６より「サムネイル表示」用の操作キー（例えば、ナビゲーションキー）が入力された事をマイコン１０７が検出すると、マイコン１０７は映像処理回路１０２にサムネイル表示処理動作の命令を出力する。映像処理回路１０２は、予め設定されているアスペクト比の画像のサムネイル画を記録媒体１０１の管理情報から再生・読み出し、サムネイル表示画面生成回路１０９で複数のサムネイル画を一画面に一覧表示する構成のサムネイル表示画面を生成し、サムネイル表示画面として映像表示部１０４に表示する。ここで、操作キー入力部１０６からの所定の操作により表示させたいアスペクト比を選択すると、マイコン１０７の制御により映像処理回路１０２は、記録されている画像のアスペクト比情報から選択されたアスペクト比に合致する画像のサムネイル画を読み出し、サムネイル表示画面生成回路１０９でサムネイル表示画面を生成し映像表示部１０４に表示する。
【００１９】
ここで、本実施例に係るサムネイル表示時の画面例を図２、図４〜図７を用いて説明する。図２は本発明によるアスペクト比「全て」選択時のサムネイル表示の画面例、図４は本発明によるサムネイル表示の切替時のサムネイル表示の画面例、図５は本発明によるアスペクト比「１６：９」を選択操作時のサムネイル表示の画面例、図６は本発明によるアスペクト比「１６：９」を選択時のサムネイル表示の画面例、図７は本発明によるアスペクト比「４：３」を選択時のサムネイル表示の画面例を示す。
【００２０】
図２では、「全て」のアスペクト比のサムネイル画をアスペクト比「４：３」に統一し、サムネイル画を横に４画像分、縦に３画像分、合計１２画像分を表示する例を示す。図２において、２０１はアスペクト比「４：３」で記録された映像のサムネイル画Ａ、２０２はアスペクト比「１６：９」で記録されたサムネイル画Ｂ、２０３は表示中の画面がサムネイル表示の画面である事及びアスペクト比「４：３」と「１６：９」の両方をアスペクト比「４：３」に統一したことを表示するための画面表示情報表示部を示す。
【００２１】
ここで、サムネイル画を縦横碁盤の目上に整列させるためには、アスペクト比「１６：９」のサムネイル画を、サムネイル画Ｂ２０２にあるように、サムネイル画Ａ２０１よりさらに縮小し、上下に黒帯を表示している。
【００２２】
次に、サムネイル表示をアスペクト比「１６：９のみ」または「４：３のみ」にするときの画面を図４〜図７を用いて説明する。図４において、４０１はサムネイル表示中に操作キー入力部１０６より「メニュー」釦が押された時に最初に表示される第一メニュー群を、４０２は第一メニュー群を操作キー入力部１０６の「上下キー」等により選び、選択された時に表示される第二メニュー群を示す。操作キー入力部１０６からの操作により、図４の第一メニュー群４０１の中から「アスペクト選択」が選ばれると、第二メニュー群として、「全て」「「４：３のみ」「１６：９のみ」が表示される。第二メニュー群４０２の「全て」の左側に「●」の表示があり「●全て」となっているのは、現在のアスペクト比の設定が「全て」になっている事を示している。ここで、第二メニュー群４０２から「１６：９のみ」を操作キー入力部１０６の「上下キー」等により選択すると、サムネイル表示の画面は図５に示すように、アスペクト比「１６：９」の記録画像のサムネイル画が、横に３画像分、縦に３画像分、合計９画像分のアスペクト比「１６：９」のサムネイル画が縦横に整列した状態で表示される。図５に示すサムネイル表示において表示されている第一及び第二メニュー群は、操作キー入力部１０６からの「メニュー」釦や「戻る」釦の操作により、表示が消え、図６に示した様にアスペクト比「１６：９」のサムネイル画が９画像分表示される。
【００２３】
また、図７は、図４に示した全てのサムネイル画像を「４：３」のアスペクト比に統一して表示させたサムネイル表示の画面から、第二メニュー群４０２から「４：３のみ」を選択した後、第一及び第二メニュー群の表示を消した画像を示している。この場合は、アスペクト比「４：３」の記録画像のサムネイル画が、横に４画像分、縦に３画像分、合計１２画像分のアスペクト比「４：３」のサムネイル画が縦横に整列した状態で表示される。
【００２４】
本実施例によれば、「１６：９のみ」のアスペクト比のサムネイル画を表示した場合は、図６に示した様に、一画面上に横に３枚分、縦に３枚分、計９枚の表示となる。また、「４：３のみ」のアスペクト比のサムネイル画を表示した場合は、図７に示した様に、一画面上に、横に４枚分、縦に３枚分、計１２枚の表示となる。このように、サムネイル表示の画面上には、同一アスペクト比の画像が、同一縮尺で表示され縦横に整列した状態で表示され、見やすいサムネイル表示画面となり視認性が向上できる。また、一画面に表示させるサムネイル画の数をアスペクト比に応じて変化させることにより、アスペクト比「１６：９」の画像のサムネイル画はアスペクト比「４：３」に統一した時のように更なる縮小が不要となり、サムネイル画の見易さ視認性を改善できる。さらに、アスペクト比「４：３」の画像のサムネイル画の数を多くでき、アスペクト比「４：３」の画像の検索性を改善することができる。このようなアスペクト比毎に表示する枚数は、映像処理用メモリ１０３に設定されており、映像処理回路１０２により読み出され、マイコン１０７の指示でサムネイル表示画面生成回路１０９でサムネイル表示画面に設定された枚数の画像を一覧表示する。操作キー入力部１０６から変更も可能とする。
【００２５】
また、本実施例では、図４において、第二メニュー群４０２の「全て」を選択すると、更に、「アスペクト比そのまま」「４：３に統一」「１６：９に統一」といった第三メニュー群８０３が表示され、アスペクト比が異なる画像を混在させて一覧表示するときの指定も可能となっており、図８、図３、図９を用いて説明する。図８はアスペクト比「全て」切替時のサムネイル表示の画面例、図３はアスペクト比「全て」「そのまま」選択時のサムネイル表示の画面例、図９はアスペクト比「全て」「１６：９に統一」選択時のサムネイル表示の画面例を示す。
【００２６】
図４において、第二メニュー群４０２の「全て」を選択すると、図８の第三メニュー群８０３が表示される。図８において、第三メニュー群８０３の「４：３に統一」の左側に「●」表示があるのは、現在の設定が「全て」「４：３」に統一となっているためである。
【００２７】
図８の第三メニュー群８０３の「アスペクトそのまま」を選択し第一、第二、第三メニュー群の表示を消した画面が図３である。図３において、３０１はアスペクト比「４：３」で記録された映像のサムネイル画Ｅ、３０２はアスペクト比「１６：９」で記録されたサムネイル画Ｆ、３０３は表示中の画面がサムネイル画面である事及びアスペクト比「４：３」と「１６：９」の両方を表示する画面表示情報表示部を示す。図３では、サムネイル画が縦横整列しないような配置になっているが、サムネイル画を同一尺度で表示しているのでサムネイル画の内容を確認しやすくなっている。
【００２８】
また、図８の第三メニュー群８０３の「１６：９に統一」を選択し第一、第二、第三メニュー群の表示を消した画面を図９に示す。図９において、９０１はアスペクト比「４：３」で記録された映像のサムネイル画の左右に黒帯がつけられ「１６：９」のアスペクト比サイズで表示されたサムネイル画Ｃを、９０２はアスペクト比「１６：９」で記録されたサムネイル画Ｄを示す。
【００２９】
以上説明したように、本実施例では、複数のアスペクト比のサムネイル画を混在またはアスペクト比毎のサムネイル表示に切り替えられるので使用者の好みに合わせた構成の表示とすることができ、使い勝手を向上できる。さらには全てのアスペクト比のサムネイル画を混在した場合、サムネイル画のアスペクト比を「そのまま」「４：３に統一」「１６：９に統一」と切り替えられさらに使い勝手を向上できる。
【００３０】
上記説明したサムネイル表示動作時の流れを図１０を用いて説明する。図１０は、サムネイル表示の画面中に操作キー入力部１０６の「メニュー」ボタンが押されて、図４に示した第一メニュー群４０１が表示されている状態から開始される。まず、第一メニュー群から「アスペクト選択」が選択された否かを判別し（ステップ１００１）、選択されていない場合にはステップ１００１に戻る。ステップ１００１において、「アスペクト選択」が選択されたと判断された場合は、ステップ１００２にて第二メニュー群４０２の「全て」「４：３のみ」「１６：９のみ」の３項目を表示する。次に、ステップ１００３では、第二メニュー群の「全て」「４：３のみ」「１６：９のみ」のいずれかが選択されているかを判別し、「１６：９のみ」が選択された場合には、記録媒体１０１からアスペクト比「１６：９」の記録画像のサムネイル画を検索し（ステップ１００４）、サムネイル表示の画面をサムネイル表示画面生成回路１０９で生成し映像表示部１０４に出力する（ステップ１０１０）。ステップ１００３において、第二メニュー群４０２の「４：３のみ」が選択された場合には、記録媒体１０１からアスペクト比「４：３」の記録画像のサムネイル画を検索し（ステップ１００５）、サムネイル表示の画面をサムネイル表示画面生成回路１０９で生成し映像表示部１０４に出力する（ステップ１０１０）。
【００３１】
ステップ１００３において、第二メニュー群４０２から「全て」が選択された場合には、ステップ１００６において第三メニュー群８０３の「アスペクト比そのまま」「４：３に統一」「１６：９に統一」の３項目を表示する。次に、ステップ１００７では、第三メニュー群８０３の「アスペクトそのまま」「４：３に統一」「１６：９に統一」のいずれかが選択されているかを判別し、「１６：９に統一」が選択された場合には、記録媒体１０１に記録されている画像のサムネイル画を順番に読み出し、「４：３」のアスペクト比で記録されている画像の場合には、サムネイル表示画面生成回路１０９でサムネイル画の左右に黒帯をつけて「１６：９」のアスペクト比にする処理をし（ステップ１００８）、サムネイル表示の画面を映像表示部１０４に出力する（ステップ１０１０）。ステップ１００７において第三メニュー群８０３から「４：３に統一」が選択された場合には、記録媒体１０１に記録されている画像のサムネイル画を順番に読み出し、「１６：９」のアスペクト比で記録されている画像の場合には、サムネイル表示画面生成回路１０９でサムネイル画の上下に黒帯をつけて「４：３」のアスペクト比にする処理をし（ステップ１００９）、サムネイル表示の画面を映像表示部１０４に出力する（ステップ１０１０）。ステップ１００７において第三メニュー群８０３から「アスペクト比そのまま」が選択された場合には、記録媒体１０１に記録されている画像のサムネイル画を順番に読み出し、記録されている画像のアスペクト比のままサムネイル表示の画面をサムネイル表示画面生成回路１０９で生成し映像表示部１０４に出力する（ステップ１０１０）。ステップ１０１０において、操作キー入力部１０６からの「メニュー」釦や「戻る」釦の操作をすると、第一、第二、第三メニュー群に表示が消え、図６、図７、図９、図２、図３に示す表示画面となる。
【００３２】
本実施例では、サムネイル表示の切替をメニュー群から選択する方法で説明したが、ナビゲーションキーのように１つの切替釦により「全て」、「４：３のみ」、「１６：９のみ」を順次表示切替するようにしても構わない。このようにすることにより、切替の操作性を改善することができる。
【００３３】
本実施例では、アスペクト比が「４：３」と「１６：９」の場合で説明したが、アスペクト比（縦横比）はこれに限らなくても構わない。さらにアスペクト比の種類の数は３つ以上でも構わない。
【００３４】
本実施例では、アスペクト毎に表示するサムネイル画の数をアスペクト比「４：３」では横３枚分、縦３枚分、計９枚とし、アスペクト比「１６：９」では横４枚分、縦３枚分、計１２枚としたが、数はこれに限ったものではなく、表示画面上で見やすい表示となるように変えてもよい。
【００３５】
本実施例では、はビデオカメラ等の映像記録再生表示装置の場合で説明したが、装置及び構成はこれに限るものではない。例えば、カメラ撮像処理部や映像表示部を備えていないレコーダ等の映像記録再生装置でも構わない。また、記録と再生の一方のみの機能を有する装置であっても構わない。総称して画像取扱装置ともいう。
【００３６】
本実施例では、映像記録再生の流れを説明したが、音声も同時に記録再生可能な装置でも構わない。
【図面の簡単な説明】
【００３７】
【図１】記録再生装置の構成例を示すブロック図
【図２】アスペクト比「全て」選択時のサムネイル表示の画面例を示す
【図３】アスペクト比「全て」「そのまま」選択時のサムナイル表示の画面例を示す
【図４】サムネイル表示切替時のサムネイル表示の画面例を示す
【図５】アスペクト比「１６：９」を選択操作時のサムネイル表示の画面例を示す
【図６】アスペクト比「１６：９」を選択時のサムネイル表示の画面例を示す
【図７】アスペクト比「４：３」を選択時のサムネイル表示の画面例を示す
【図８】アスペクト比「全て」切替時のサムネイル表示の画面例を示す
【図９】アスペクト比「全て」「１６：９に統一」選択時のサムネイル表示の画面例を示す
【図１０】サムネイル表示の処理例を示すフローチャート
【符号の説明】
【００３８】
１０１：記録媒体、１０２：映像処理回路、１０３：映像処理用メモリ、１０４：映像表示部、１０５：カメラ撮像処理部、１０６：操作キー入力部、１０７：マイコン、１０８：マイコン処理用メモリ、１０９：サムネイル表示画面生成回路、２０１：サムネイル画Ａ、２０２：サムネイル画Ｂ、２０３、３０３：画面表示情報表示部、３０１：サムネイル画Ｅ、３０２：サムネイル画Ｆ，４０１：第一メニュー群、４０２：第二メニュー群、８０３：第三メニュー群、９０１：サムネイル画Ｃ、９０２：サムネイル画Ｄ
【図１】
2007292971.tif 000003
【図２】
2007292971.tif 000004
【図３】
2007292971.tif 000005
【図４】
2007292971.tif 000006
【図５】
2007292971.tif 000007
【図６】
2007292971.tif 000008
【図７】
2007292971.tif 000009
【図８】
2007292971.tif 000010
【図９】
2007292971.tif 000011
【図１０】
2007292971.tif 000012